(57)【要約】【課題】  この考案は誰でも簡単に取り付け及び扉の開閉操作が可能で、且つ、地震等の振動では扉は簡単に開く事のない、軽量、且つ、安全で、しかも安価な吊り戸棚用扉ストッパーを開発・提供する事にある。【解決手段】  扉側に設ける本体と、ストッパーを組み合わせて成る押し開き式鉤形ストッパーと、吊り戸棚本体側に設ける止め金具から成り、本体は、先端部に鉤部を有するストッパーと、該ストッパーと一体の押し板とストッパーを横方向に付勢する弾性部材を設け、止め金具は前記ストッパーの鉤部と係合する止め金具の鉤部を形成し、該押し開き式鉤形ストッパーの開閉は、ストッパーの押し板部を押すと、本体の支点部を支点にして所定角度程鉤部が回動し、止め金具の鉤部から離れて開状態となり、且つ、ストッパーの押し板部から手を離せば本体の弾性部材が復帰し、ストッパーの鉤部が止め金具の鉤部と噛み合い閉状態となるものである。【選択図】  図４
0003109188.tif 000002
【実用新案登録請求の範囲】
【請求項１】
吊り戸棚等の観音開き型扉用ストッパーであって、扉（ＨＣ）側に設ける本体（１ａ）と、ストッパー（１ｂ）を組み合わせて成る押し開き式鉤形ストッパー（１）と、吊り戸棚本体（ＨＣ’）側に設ける止め金具（２）から成り、本体（１ａ）は、先端部に鉤部（１ｂ’）を有するストッパー（１ｂ）と、該ストッパーと一体の押し板（１ｃ）とストッパー（１ｂ）を横方向に付勢する弾性部材（ＥＰ）を設け、止め金具（２）は前記ストッパー（１ｂ）の鉤部（１ｂ’）と係合する止め金具（２）の鉤部（２ａ）を形成し、該押し開き式鉤形ストッパー（１）の開閉は、ストッパーの押し板（１ｃ）部を押すと、本体（１ａ）の支点（Ｐ）部を支点にして所定角度（α）程鉤部（１ｂ’）が回動し、止め金具（２）の鉤部（２ａ）から離れて開状態となり、且つ、ストッパー（１ｂ）の押し板（１ｃ）部から手を離せば本体の弾性部材（ＥＰ）が復帰し、ストッパーの鉤部（１ｂ’）が止め金具（２）の鉤部（２ａ）と噛み合い閉状態となる事を特徴とする吊り戸棚用扉ストッパー。
【考案の詳細な説明】
【技術分野】
【０００１】
この考案は、吊り戸棚等の地震対策用として使用される吊り戸棚用扉ストッパーに関するものである。
【背景技術】
【０００２】
従来、吊り戸棚等、観音開き型扉の止め金具は様々であるが、主にマグネット着脱型止め金具や、凸凹勘合型止め金具等を使用して簡単に開閉可能なものが多く、取り扱う上では非常に楽で好評であった。
【０００３】
しかし、簡単に開閉可能なものは、反面、地震等の振動の影響により、棚の中の物が動いて扉が簡単に開いて、中の物が落下するという危険性を持ち合わせている。従って、これからは簡単に扉が開閉出来て、且つ、地震等の振動に対しても強固で、安全な吊り戸棚用扉ストッパーの開発が望まれている。
【０００４】
そこで、これまでに出願されている、扉ストッパーの特許文献を紹介する。（特許文献１〜２参照。）
【特許文献１】特開平９−１２１９６４
【特許文献２】特開２００３−０９５５６４
【０００５】
上記特許文献は、何れもドア用扉ストッパーであって、吊り戸棚等観音開き型扉用としては、現時点では公開されていない。
【考案の開示】
【考案が解決しようとする課題】
【０００６】
そこで、この考案は誰でも簡単に取り付け及び扉の開閉操作が可能で、且つ、地震等の振動では扉は簡単に開く事のない、軽量、且つ、安全で、しかも安価な吊り戸棚用扉ストッパーを開発・提供する事にある。
【課題を解決するための手段】
【０００７】
そこで、この考案は、上記課題を解決する為、扉側に設ける本体と、ストッパーを組み合わせて成る押し開き式鉤形ストッパーと、吊り戸棚本体側に設ける止め金具から成り、本体は、先端部に鉤部を有するストッパーと、該ストッパーと一体の押し板とストッパーを横方向に付勢する弾性部材を設け、止め金具は前記ストッパーの鉤部と係合する止め金具の鉤部を形成し、該押し開き式鉤形ストッパーの開閉は、ストッパーの押し板部を押すと、本体の支点部を支点にして所定角度程鉤部が回動し、止め金具の鉤部から離れて開状態となり、且つ、ストッパーの押し板部から手を離せば本体の弾性部材が復帰し、ストッパーの鉤部が止め金具の鉤部と噛み合い閉状態となるものである。
【考案の効果】
【０００８】
この考案の効果として、扉側に設ける本体と、ストッパーを組み合わせて成る押し開き式鉤形ストッパーと、吊り戸棚本体側に設ける止め金具から成り、本体は、先端部に鉤部を有するストッパーと、該ストッパーと一体の押し板とストッパーを横方向に付勢する弾性部材を設け、止め金具は前記ストッパーの鉤部と係合する止め金具の鉤部を形成し、該押し開き式鉤形ストッパーの開閉は、ストッパーの押し板部を押すと、本体の支点部を支点にして所定角度程鉤部が回動し、止め金具の鉤部から離れて開状態となり、且つ、ストッパーの押し板部から手を離せば本体の弾性部材が復帰し、ストッパーの鉤部が止め金具の鉤部と噛み合い閉状態となる事で、地震等の振動では簡単に扉が開く事はなく、且つ、通常の開閉操作は誰でも簡単に片手で使用可能である。
【０００９】
又、構造が簡単で故障し難く、取り付け方法も上下逆方向でも取り付け可能な為、使用状況や使用目的に応じて適宜変更可能で、しかも、安価である等極めて有益なる効果を奏するものである。
【考案を実施するための最良の形態】
【００１０】
この考案の最良の形態として、吊り戸棚用扉ストッパーの取り付け位置は負荷荷重を最小限に押える為に、扉の開閉軸部から極力離して取り付ける事が重要である。又、片手で扉の取手を持って、且つ、同時に扉ストッパーを開閉可能にする為には取手と吊り戸棚用扉ストッパーの取り付け位置を片手で届く範囲に設置する事が重要である。
【実施例１】
【００１１】
そこで、この考案の一実施例を図１〜図４に基づいて詳述すると、吊り戸棚等の観音開き型扉用ストッパーであって、扉（ＨＣ）側に設ける本体（１ａ）と、ストッパー（１ｂ）を組み合わせて成る押し開き式鉤形ストッパー（１）と、吊り戸棚本体（ＨＣ’）側に設ける止め金具（２）から成り、本体（１ａ）は、先端部に鉤部（１ｂ’）を有するストッパー（１ｂ）と、該ストッパーと一体の押し板（１ｃ）とストッパー（１ｂ）を横方向に付勢する弾性部材（ＥＰ）を設け、止め金具（２）は前記ストッパー（１ｂ）の鉤部（１ｂ’）と係合する止め金具（２）の鉤部（２ａ）を形成し、該押し開き式鉤形ストッパー（１）の開閉は、ストッパーの押し板（１ｃ）部を押すと、本体（１ａ）の支点（Ｐ）部を支点にして所定角度（α）程鉤部（１ｂ’）が回動し、止め金具（２）の鉤部（２ａ）から離れて開状態となり、且つ、ストッパー（１ｂ）の押し板（１ｃ）部から手を離せば本体の弾性部材（ＥＰ）が復帰し、ストッパーの鉤部（１ｂ’）が止め金具（２）の鉤部（２ａ）と噛み合い閉状態となる事を特徴とする吊り戸棚用扉ストッパーから構成される。
【００１２】
次に、この考案の取り付け要領について説明すると、まず押し開き式鉤形ストッパー（１）と止め金具（２）の取り付け要領は、図４・図５に示す様に、吊り戸棚本体（ＨＣ’）の内側に止め金具（２）を取り付ける場合は、吊り戸棚の扉（ＨＣ）にストッパー（１ｂ）が通る程度の大きさの穴（Ｈ）を明け、その部分にストッパー（１ｂ）を挿入し、２本の止めネジ（Ｓ１）で固定する。
【００１３】
又、図６に示す様に吊り戸棚本体（ＨＣ’）の外側に止め金具（２）を取り付ける場合は、扉（ＨＣ）に穴を明ける必要はなく、扉（ＨＣ）の下部にストッパーを設置する為、下方へ若干ずらして２本の止めネジ（Ｓ１）で固定する。又、左右方向の取り付け位置に関しては、負荷荷重が最小限になる様、極力開閉軸部から離れた扉の端部に設ける。同時に取手の位置も片手で操作出来る様、吊り戸棚用扉ストッパーの近傍に設ける。
【００１４】
次に、この考案の開閉操作方法について説明すると、扉を開閉する場合は、扉の取手部を握り、更に親指で吊り戸棚用扉ストッパーの押し板（１ｃ）部を押さえるとストッパー（１ｂ）の鉤部（１ｂ’）が本体（１ａ）の支点部（Ｐ）を支点にして回動し、噛み合っていた両鉤部（１ｂ’）（２ａ）が離れ、扉が開閉可能となる。
【００１５】
又、扉を閉める場合は、ゆっくり扉を閉じていくと、押し切った状態でストッパー（１ｂ）が本体（１ａ）の弾性部材（ＥＰ）の押圧により、元の位置に復帰し、両鉤部（１ｂ’）（２ａ）が噛み合い閉扉状態になる。
【００１６】
又、この考案の吊り戸棚用扉ストッパーの取り付けは、図５・図６に示すような取付方向に限らず、上下逆方向に反転させて、扉の取手の位置によりストッパーの取付範囲が狭い場合にも、対応する事が出来る。
【産業上の利用可能性】
【００１７】
この考案は、押し開き式鉤形ストッパーの開閉をストッパーの押し板部を押すと、本体の支点部を支点にして所定角度程鉤部が回動し、止め金具の鉤部から離れて開状態となり、且つ、ストッパーの押し板部から手を離せば本体のバネ板部が復帰し、ストッパーの鉤部が止め金具の鉤部と噛み合い閉状態となる事で、地震等の振動では簡単に扉が開く事はなく、且つ、通常の開閉操作は誰でも簡単に片手で使用可能にする事で多くの消費者市場に寄与する点で産業上の利用可能性を有する。
【図面の簡単な説明】
【００１８】
【図１】この考案の一実施例を示し、（Ａ）は押し開き式鉤形ストッパーの平面図で、（Ｂ）は正面図である。
【図２】この考案の一実施例を示し、（Ａ）は押し開き式鉤形ストッパーの右側面図で、（Ｂ）は図１（Ｂ）のａ−ａ矢視断面図である。
【図３】この考案の一実施例を示し、（Ａ）止め金具の平面図で、（Ｂ）は正面図である。
【図４】この考案の一実施例を示し、押し開き式鉤形ストッパーと止め金具の取り付け要領を示す平面図である。
【図５】この考案の使用例を示し、（Ａ）は吊り戸棚用扉内部に取り付けた時の正面図で、（Ｂ）は図５（Ａ）のａ−ａ矢視断面拡大図である。
【図６】この考案の使用例を示し、（Ａ）は吊り戸棚用扉外部に取り付けた時の正面図で、（Ｂ）は図６（Ａ）のａ−ａ矢視断面拡大図である。
【符号の説明】
【００１９】
１  押し開き式鉤形ストッパー
１ａ  本体
１ａ’  取り付け用穴
１ｂ  ストッパー
１ｂ’  ストッパーの鉤部
１ｃ  押し板
２  止め金具
２ａ  止め金具の鉤部
２ｂ  取り付け用穴
ＥＰ  弾性部材
Ｈ  穴
ＨＣ  吊り戸棚の扉
ＨＣ’  吊り戸棚本体
Ｐ  支点
Ｓ１  止めネジ
Ｓ２  止めネジ
α  所定角度
【図１】
0003109188.tif 000003
【図２】
0003109188.tif 000004
【図３】
0003109188.tif 000005
【図４】
0003109188.tif 000006
【図５】
0003109188.tif 000007
【図６】
0003109188.tif 000008